(57)【特許請求の範囲】
【請求項１】
防水機能を持つ合成樹脂製の袋の、下部を生ゴミの収容部（２）、中間部は該生ゴミより水分を流出させる多数の小孔を備えた水切り部（３）、その上部を側壁部（４）、最上の開口部はこの袋を三角コーナ（８）に固定する折り返し部（５）とする滴下防止型ゴミ収集用袋（１）の使用に際し、最初に、収容部（２）を折りたたみながら巻き重ねた後、このゴミ収集用袋（１）の外側と内側を反転して、折りたたまれた収容部（１０）を内側に取り込み、これを三角コーナ（８）内に装着し、その中に堆積した生ゴミを処理する時は、ゴミ収集用袋（１）を三角コーナ（８）より取り出す際の生ゴミの落下によって、折りたたまれた収容部（１０）を反転させながら解きほぐして、その内側の乾燥した面を外側に繰り出し、以ってゴミ収集用袋（１）の廃棄処理時における収容部（２）の表面を乾燥した状態と成し、更に、生ゴミが最終的に収容部（２）に堆積した後、折り返し部（５）から水切り部（３）までの部分を巻くと同時に、その巻いた部分の両端を一つに結んで収容部（２）に残留する水分の流出を防止することを特徴とする滴下防止型ゴミ収集用袋の装着及び廃棄処理方法。
【発明の詳細な説明】
【０００１】
【発明の属する技術分野】
本発明は、家庭および業務用に使用される水切り袋の技術分野に関するものである。
【０００２】
【従来の技術】
従来の、流し台の三角コーナや、排水口の円筒状フィルタ等に使用されている水切り機能を持つ袋には、水分を流出させる小孔が設けてある。そのため、生ゴミ等の収容物が満杯になり、それを廃棄、または一時的に保存する時点においても、残留している水分がその小孔より滴下する欠点があった。
【０００３】
【発明が解決しようとする課題】
水分を含んだ収容物が満杯となり、それを処理する場合、従来の水切り機能を持つ袋では水分の滴下を防止するため、更に別の防水性の袋に入れる必要がある。従って、収容物より水分を除去する機能と、水分の滴下を防ぐ防水機能を併せ持つゴミ収集用袋、および、その廃棄時に手を汚さずに処理することを可能とする着脱方法の開発が要求される。
本発明は、これらの課題を解決するためになされたものである。
【０００４】
【課題を解決するための手段】
課題を解決するために、まず、滴下防止型ゴミ収集用袋（１）を以下に述べる構造とする。
（イ）防水機能を持つ薄い合成樹脂製の袋の底部を、廃棄物等の収容物（７）を蓄積する収容部（２）とする。
（ロ）袋の中間部は水分を流出させる多数の水切り用小孔（６）を設けた水切り部（３）とする。
（ハ）また、その上部は側壁部（４）とする。
（ニ）更に、袋の開口部は、この袋を三角コーナ（８）等の格子状の容器に装着した時に、その縁に固定するための折り返し部（５）とする。
次に、その着脱方法と使用方法について述べる。
（ホ）この滴下防止型ゴミ収集用袋（１）を格子状の容器に装着するに際し、最初に、収容部（２）を折りたたみ、巻いて、折りたたまれた収容部（１０）を作る。
（ヘ）滴下防止型ゴミ収集用袋（１）全体を裏返し、この折りたたまれた収容部（１０）を内部に取り入れた袋状とする。
（ト）裏返した滴下防止型ゴミ収集用袋（１）を格子状の容器に装着し、折り返し部（５）をその縁に掛ける。
（チ）収容物（７）が満杯にり、廃棄する時には滴下防止型ゴミ収集用袋（１）の折り返し部（５）を持ち、上部に引き上げて格子状の容器より取り出す。
（リ）その時、収容物（７）は自重で落下し、その過程で、折りたたまれた収容部（１０）を解きほぐして元の袋状となし、滴下防止型ゴミ収集用袋（１）の底部の収容部（２）に堆積する。
（ヌ）収容物（７）を収容した滴下防止型ゴミ収集用袋（１）を密封して水分の流出を防ぐため、折り返し部（５）から水切り部（３）までの部分を巻く。
（ル）最後に、この巻いた部分の左右両端を一つに堅く結び、収容物（７）を密閉した滴下防止型ゴミ収集用袋（１）の最終的な廃棄状態（１１）とする。
【０００５】
【発明の実施の形態】
本発明の実施の形態を、家庭内の流し台の三角コーナにおけるゴミ処理について説明する。
図１に本発明の滴下防止型ゴミ収集用袋（１）の斜視図を示す。
最下部の収容部（２）は三角コーナ（８）の中に堆積する生ゴミなどの収容物（７）を最終的に蓄積する部分であり、容積的には、それを収納するに充分余裕のある寸法を設定する。
水切り部（３）は滴下防止型ゴミ収集用袋（１）を三角コーナ（８）に装着して使用する場合、その底部に位置する。従って、この部分には収容物（７）より水分を流出させる多数の水切り用小孔（６）を設ける。
この水切り用小孔（６）の大きさと数量は、その用途により決定されるが、一般の三角コーナに使用する場合には、直径１〜２ｍｍの孔を１ｃｍ２当り１〜数個設ける。
側壁部（４）は滴下防止型ゴミ収集用袋（１）を三角コーナ（８）に装着した時、その側面に密着させる。従って、この部分は三角コーナ（８）の側壁の長さとほぼ同一の寸法とする。
なお、この側壁部（４）にも水切り部（３）と同様に、水切り用小孔（６）を設け、収容物（７）より水分を効率的に流出させることも可能である。
折り返し部（５）は、滴下防止型ゴミ収集用袋（１）を三角コーナ（８）に装着する際に、その縁に折り曲げて掛ける部分で、約３〜５ｃｍ程度とする。
また、本発明の滴下防止型ゴミ収集用袋（１）の材質は、一例として、厚さ０．０２〜０．０３ｍｍのポリエチレン製フィルムを使用する。
【０００６】
次に、着脱方法に関する実施の形態を説明する。
まず、装着に先立ち、収容部（２）を図２に示すように折りたたみ、巻き取って、折りたたまれた収容部（１０）を作る。折りたたむ幅は、約３ｃｍ程度とする。
次に、図３に示すように、この袋を裏返して、内側と外側を反転させる。その結果、この折りたたまれた収容部（１０）は袋の内部に取り込まれる。
図３（Ａ）は反転前の状態を示す。図３（Ｂ）は反転中の状態を示す。図３（Ｃ）は反転後の状態を示す。
この場合、図４に示すように、折りたたまれた収容部（１０）を二つ折りにしたボール紙（９）で挟むと容易に反転させることができる。
【０００７】
反転後、この滴下防止型ゴミ収集用袋（１）を三角コーナ（８）に挿入し、水切り部（３）、側壁部（４）をその内側に良く密着するように装着する。
最後に、折り返し部（５）を三角コーナ（８）の縁に掛けて固定する。その結果、三角コーナ（８）の底部および側壁の下部には水切り部（３）が配置されるため、一般に使用されている水切り袋を使用した場合と同じ状態となる。
図５は滴下防止型ゴミ収集用袋（１）を、このようにして三角コーナ（８）に装着し、使用可能な状態にした場合の断面図である。
また、図６は実際に三角コーナ（８）内に収容物（７）が満杯になった状態の断面図である。収容物（７）の水分は三角コーナ（８）の底部より流出する。
【０００８】
収容物（７）が満杯にり、廃棄する時には滴下防止型ゴミ収集用袋（１）の折り返し部（５）を持ち、上方に引き上げて三角コーナ（８）より取り出す。
収容物（７）は自重で落下するが、その場合、折りたたまれた収容部（１０）を解きほぐしながら落下し、最終的に最下部の収容部（２）に堆積する。
図７（Ａ）は取り出し開始時点の状態を示す。図７（Ｂ）は取り出し中の状態を示す。この時、折りたたまれた収容部（１０）は少しづつ解きほどこされる。図７（Ｃ）は収容物（７）が折りたたまれた収容部（１０）を完全に解きほぐし、収容部（２）に堆積した状態を示す。
次に、図８に示すように、この収容物（７）を内蔵した滴下防止型ゴミ収集用袋（１）を密封して水分の流出を防ぐため、折り返し部（５）から巻き始めて側壁部（４）と水切り部（３）の部分を巻く。
従来の防水性の袋を使用した場合、内部の空気の逃げ場が無く、袋は膨らんだ状態となって巻き取りは困難であるが、この場合では水切り部（３）より空気が流出するため、容易に巻き取りが可能となる。
図８（Ａ）は巻き取る前の状態を示す。図８（Ｂ）は巻き終わった後の状態を示す。
最後に、図９に示すように、この巻いた部分の左右両端を一つに堅く結び、収容物（７）を密閉した滴下防止型ゴミ収集用袋（１）の最終的な廃棄状態（１１）とする。
【０００９】
なお、滴下防止型ゴミ収集用袋（１）を装着前に反転させる理由は次のとおりである。
滴下防止型ゴミ収集用袋（１）に生ゴミ等を収容して密閉した最終的な廃棄状態（１１）にする時、その部分は収容部（２）が担う。この場合、その表面は乾燥した状態であることが望ましい。従って、この部分は使用中に水滴で濡れないことが要請される。
この要請は、滴下防止型ゴミ収集用袋（１）を裏返して内側と外側を反転させ、使用時に、折りたたまれた収容部（１０）の表面が水分で濡れない状態を保つことにより満たされる。
図１０にその詳細を示す。図１０（Ａ）は反転しない場合で、折りたたまれた収納部（１０）が滴下防止型ゴミ収集用袋（１）の外部に位置する。そのため、使用中に、折りたたまれた収納部（１０）の間隙には、水滴が浸透し、その結果、最終的な廃棄状態（１１）では収容部（２）の表面は濡れた状態となる。
一方、図１０（Ｂ）は本発明の着脱方法によって反転した場合で、折りたたまれた収納部（１０）は滴下防止型ゴミ収集用袋（１）の内部に取り込まれる。従って、折りたたまれた収容部（１０）の間隙には、使用中においても水分が浸透せず、その結果、最終的な廃棄状態（１１）でも収容部（２）の表面は乾燥した状態が維持される。
【００１０】
以上のように、本発明による滴下防止型ゴミ収集用袋（１）は、現状のゴミ収集用袋の一部を改良、加工するだけで実現できる特徴がある。また、家庭内で使用されている三角コーナ（８）や、排水口の円筒状フィルタ等の既設の備品をそのまま使用できることも特徴の一つである。
【００１１】
【発明の効果】
本発明の滴下防止型ゴミ収集用袋（１）は一枚の合成樹脂製の袋に対して、防水性の袋と水切り袋の両方の機能を持たせることができ、また、本発明の着脱方法によって生ゴミの処理に手を汚すことなく、衛生的かつ効率的に行うことができる等の効果を持っている。
【図面の簡単な説明】
【図１】本発明の滴下防止型ゴミ収集用袋の斜視図。
【図２】本発明の滴下防止型ゴミ収集用袋の収容部を折りたたんだ状態の斜視図。
【図３】（Ａ）は本発明の滴下防止型ゴミ収集用袋の反転前の斜視図。
（Ｂ）は本発明の滴下防止型ゴミ収集用袋の反転中の斜視図。
（Ｃ）は本発明の滴下防止型ゴミ収集用袋の反転後の斜視図。
【図４】二つ折りにしたボール紙で折りたたまれた収容部を挟んだ状態の斜視図。
【図５】本発明の滴下防止型ゴミ収集用袋を三角コーナに装着した状態の断面図。
【図６】本発明の滴下防止型ゴミ収集用袋に収容物が堆積した状態の断面図。
【図７】（Ａ）は本発明の滴下防止型ゴミ収集用袋の取り出し開始時点の断面図。
（Ｂ）は本発明の滴下防止型ゴミ収集用袋の取り出し中の断面図。
（Ｃ）は収容物が最終的に収容部に堆積した状態の断面図。
【図８】（Ａ）は本発明の滴下防止型ゴミ収集用袋の開口部の巻き取り前の斜視図。
（Ｂ）は本発明の滴下防止型ゴミ収集用袋の開口部の巻き取り後の斜視図。
【図９】本発明の滴下防止型ゴミ収集用袋の最終的な廃棄状態の斜視図。
【図１０】（Ａ）は折りたたまれた収容部が袋の外側に位置した場合の断面図。
（Ｂ）は折りたたまれた収容部が袋の内側に位置した場合の断面図。
【符号の説明】
１    滴下防止型ゴミ収集用袋
２    収容部
３    水切り部
４    側壁部
５    折り返し部
６    水切り用小孔
７    収容物
８    三角コーナ
９    二つ折りにしたボール紙
１０  折りたたまれた収容部
１１  最終的な廃棄状態
【図１】
0003921651.tif 000002
【図２】
0003921651.tif 000003
【図３】
0003921651.tif 000004
【図４】
0003921651.tif 000005
【図５】
0003921651.tif 000006
【図６】
0003921651.tif 000007
【図７】
0003921651.tif 000008
【図８】
0003921651.tif 000009
【図９】
0003921651.tif 000010
【図１０】
0003921651.tif 000011